(57)【特許請求の範囲】
【請求項１】
操作部を内側に収容する開閉自在な開閉カバーを備えた携帯電話機において、
前記操作部を構成する操作盤が携帯電話機の本体ケーシングに対してこの本体ケーシングの表面側位置と内部側位置との間で移動自在に取り付けられて、この操作盤を本体ケーシングの表面側位置と内部側位置との間で移動させるように、前記操作盤と前記本体ケーシングとの間に介装されて操作盤を本体ケーシングの表面側位置方向に付勢する弾性部材からなる移動手段を備えており、
前記開閉カバーが閉位置にあるとき前記操作盤が本体ケーシングの内部側位置に位置されて開閉カバーの内側に収容され、開閉カバーが開かれるとこの開閉カバーの開動作によって移動手段により操作盤が本体ケーシングの表面側位置に移動されて、この操作盤の操作面が開位置に位置決めされた開閉カバーの背面及び本体ケーシングの表面とほぼ面一になる位置に位置決めされる、
ことを特徴とする携帯電話機。
【請求項２】
前記開閉カバーの背面側に前記操作部の一部が構成されている請求項１に記載の携帯電話機。
【請求項３】
前記移動手段が、開閉カバーに設けられてこの開閉カバーの開動作にともなって前記操作盤に係合して操作盤を本体ケーシングの表面側位置の方向に付勢するアーム部材である請求項１に記載の携帯電話機。
【請求項４】
前記操作盤にこの操作盤に対して相対的に可動自在に取り付けられ、開閉カバーの開動作にともなう付勢力によって本体ケーシングと係合する方向に可動されて本体ケーシングに係止されることにより、操作盤を本体ケーシングの表面側位置に位置決めする可動部材を備えている請求項１に記載の携帯電話機。
【請求項５】
前記可動部材が係合する本体ケーシングの部分に、可動部材への付勢力が解除されたときに、係合していた可動部材を本体ケーシングとの係合状態が解除される方向に付勢する係合解除部材を備えている請求項４に記載の携帯電話機。
【請求項６】
前記本体ケーシングに、開閉カバーが開かれたことを検出して前記操作部を操作が可能な状態にする開閉検出手段を備えている請求項１に記載の携帯電話機。
【請求項７】
前記開閉カバーが、本体ケーシングに対して、開方向が携帯電話機の表示パネル側となる位置に取り付けられている請求項１に記載の携帯電話機。
【発明の詳細な説明】
【０００１】
【発明の属する技術分野】
この発明は、操作部を収容する開閉自在なカバーを備えた携帯電話機に関する。
【０００２】
【発明が解決しようとする課題】
従来、携帯電話機のなかには、電話番号の入力キーなどが配置されている操作部にこの操作部を内側に収容する開閉自在なカバーが取り付けられているものがある。
【０００３】
図６は、このような操作部のカバーを備えている従来の携帯電話機を示している。
この図６において、携帯電話機１の本体ケーシング２の表面の下半分の部分に、電話番号の入力キーや各種の機能ボタンなどが配置された操作部３が設けられている。
【０００４】
この操作部３は、開閉カバー４が折り畳まれて閉じられた際にこの開閉カバー４の表面と本体ケーシング２の表面とがほぼ面一になるように、本体ケーシング２に形成された凹部３Ａ内に配置されている。
【０００５】
そして、本体ケーシング２の下端部に開閉カバー４が、その基端部を枢支されることによって、本体ケーシング２に対して開閉自在に取り付けられている。
なお、図６中、５は表示パネルであり、６はアンテナ，７はスピーカ，８はスイッチなどの操作レバーである。
【０００６】
この携帯電話機１は、その待機時には、開閉カバー４が、本体ケーシング２に対して折り畳まれて本体ケーシング２の凹部３Ａ内に嵌合されることにより、この凹部３Ａ内に配置されている操作部３を外部に露出しないように内側に収容するようになっている。
【０００７】
そして、送受信などのために操作部３の操作が必要になった場合には、開閉カバー４が本体ケーシング２から引き起こされて開かれることにより、操作部３が外部に露出される。
【０００８】
このような、操作部３を収容する開閉カバー４を備えた携帯電話機１は、開閉カバー４側にマイクロフォンや機能ボタンの一部を配置するなどによって、開閉カバー４が折り畳まれている状態において、開閉カバーを備えていない携帯電話機と比べて外形寸法をコンパクトにすることが出来るとともに、待機時に、操作部３が折り畳まれた開閉カバー４の内側に収容されて外部に露出されないので、入力キー等が保護されるとともに、操作部３が誤って押圧されて誤動作が発生するのが防止されるという利点の有している。
【０００９】
しかしながら、このような従来の携帯電話機１においては、操作部３が開閉カバー４を本体ケーシング２内に収容するための凹部３Ａ内に設けられているために、開閉カバー４が開かれた際に、操作部３が本体ケーシング２の表面から後退した位置に位置されることになり、その操作がし難いという問題がある。
【００１０】
特に、開閉カバー４の内面部分に機能ボタンの一部などが配置されているような場合には、本体ケーシング２に配置された操作部３と開閉カバー４に配置されている操作部との間に段差が発生して、操作の際の指のストロークが異なることにより操作性が悪化してしまうといった問題を有している。
【００１１】
この発明は、上記のような従来の操作部を収容する開閉カバーを備えた携帯電話機が有している問題点を解決するために為されたものである。
すなわち、この発明は、操作部を収容する開閉カバーを備えた携帯電話機において良好な操作性を確保することを目的としている。
【００１２】
【課題を解決するための手段】
本発明による携帯電話は、上記目的を達成するために、操作部を内側に収容する開閉自在な開閉カバーを備えた携帯電話機において、前記操作部を構成する操作盤が携帯電話機の本体ケーシングに対してこの本体ケーシングの表面側位置と内部側位置との間で移動自在に取り付けられて、この操作盤を本体ケーシングの表面側位置と内部側位置との間で移動させるように、前記操作盤と前記本体ケーシングとの間に介装されて操作盤を本体ケーシングの表面側位置方向に付勢する弾性部材からなる移動手段を備えており、前記開閉カバーが閉位置にあるとき前記操作盤が本体ケーシングの内部側位置に位置されて開閉カバーの内側に収容され、開閉カバーが開かれるとこの開閉カバーの開動作によって移動手段により操作盤が本体ケーシングの表面側位置に移動されて、この操作盤の操作面が開位置に位置決めされた開閉カバーの背面及び本体ケーシングの表面とほぼ面一になる位置に位置決めされることを特徴としている。
【００１３】
この発明による携帯電話機は、携帯電話機の待機時などに開閉カバーが閉じられているときには、操作盤が本体ケーシングの内部側位置に位置されて、開閉カバーの内側に収容されている。
【００１４】
そして、送受信操作などによって開閉カバーが開かれると、この開閉カバーの開動作によって移動手段が作動して、操作盤が本体ケーシングの内部側位置から表面側位置に移動され、開閉カバーが完全に開かれて開位置に位置決めされると、移動手段によって移動された操作盤の操作面と開位置に位置決めされた開閉カバーの背面（開閉カバーが開位置にある時に表側となる面）及び本体ケーシングの表面とが、ほぼ面一の状態になる。
【００１５】
したがって、本発明によれば、開閉カバーを備えた携帯電話機において、開閉カバーが開かれた際に、この開位置にある開閉カバーの背面と操作盤の操作面との間に段差が出来ないので、例えば開閉カバーの背面に操作部の一部が構成されている場合でも、この開閉カバーに配置された操作部と操作盤の操作部とを同じ指のストロークで操作することが出来るので、良好な操作性を確保することが出来るようになる。また、前記移動手段が、操作盤と本体ケーシングとの間に介装されて操作盤を本体ケーシングの表面側位置方向に付勢する弾性部材であることを特徴としており、開閉カバーが開かれた際に、この弾性部材によって付勢されることによって、操作盤が、本体ケーシングの内側位置から表面側位置の方向に移動される。
【００１６】
また、本発明による携帯電話機は、前記目的を達成するために、前述の特徴に加えて、前記開閉カバーの背面側に前記操作部の一部が構成されていることを特徴としており、これによって、携帯電話機の外形形状をコンパクトにすることが出来るとともに、開閉カバーに配置された操作部と操作盤の操作部とがその操作時にほぼ同じ平面内に位置されることによって、良好な操作性が確保される。
【００１８】
また、本発明による携帯電話機は、前記目的を達成するために、前述の特徴に加えて、前記移動手段が、開閉カバーに設けられてこの開閉カバーの開動作にともなって前記操作盤に係合して操作盤を本体ケーシングの表面側位置の方向に付勢するアーム部材であることを特徴としており、開閉カバーが開かれた際に、このアーム部材によって付勢されることによって、操作盤が、本体ケーシングの内側位置から表面側位置の方向に移動される。
【００１９】
また、本発明による携帯電話機は、前記目的を達成するために、第１の発明の構成に加えて、前記操作盤にこの操作盤に対して相対的に可動自在に取り付けられ、開閉カバーの開動作にともなう付勢力によって本体ケーシングと係合する方向に可動されて本体ケーシングに係止されることにより、操作盤を本体ケーシングの表面側位置に位置決めする可動部材を備えていることを特徴としている。
【００２０】
また、本発明による携帯電話機によれば、開閉カバーが開かれる際に、この開閉カバーの開動作にともなって発生される付勢力が可動部材に付加されて、可動部材が本体ケーシングに係合する方向に可動される。
【００２１】
そして、開閉カバーが開位置に位置された際にこの可動部材が本体ケーシングに係止され、これによって、操作盤が、その操作面が開位置にある開閉カバーの背面とほぼ面一になる本体ケーシングの表面側位置に位置決めされる。
【００２２】
また、本発明による携帯電話機は、前記目的を達成するために、前述の特徴に加えて、前記可動部材が係合する本体ケーシングの部分に、可動部材への付勢力が解除されたときに、係合していた可動部材を本体ケーシングとの係合状態が解除される方向に付勢する係合解除部材を備えていることを特徴としており、これによって、開閉カバーが閉じられる際に、付勢力の解除によって、係合解除部材が可動部材を開閉カバーが開かれるときとは反対方向に付勢して、可動部材と本体ケーシングとの係合状態を解除するので、操作盤の本体ケーシングの表面側位置から内側位置方向への移動が許容される。
【００２３】
また、本発明による携帯電話機は、前記目的を達成するために、前述の特徴に加えて、前記本体ケーシングに、開閉カバーが開かれたことを検出して前記操作部を操作が可能な状態にする開閉検出手段を備えていることを特徴としており、これによって、開閉カバーが開かれると操作部の操作が可能になり、開閉カバーが閉じられているときには操作部の操作が不能になるので、誤動作の発生が防止されたり、また省電力が達成される。
【００２４】
また、本発明による携帯電話機は、前記目的を達成するために、前述の特徴に加えて、前記開閉カバーが、本体ケーシングに対して、開方向が携帯電話機の表示パネル側となる位置に取り付けられていることを特徴としており、これによって、開閉カバーが開かれた際に携帯電話機の外形形状が大きくなるのが防止される。
【００２５】
【発明の実施の形態】
以下、この発明の最も好適と思われる実施の形態について、図面を参照しながら詳細に説明を行う。
【００２６】
図１は、この発明によるカバー開閉機構を備えた携帯電話機の待機状態の形態を示す正面図であり、図２は、この携帯電話機の操作時の形態を示す正面図である。
【００２７】
この図１および２において、携帯電話機１０は、本体ケーシング１１の表面の中央部にディスプレイパネル１２が配置され、さらに、このディスプレイパネル１２の下方部分に、開閉カバー１３が取り付けられている。
【００２８】
この開閉カバー１３は、図３に示されるように、その上端部（図３においては右側端部）がディスプレイパネル１２の下端縁（図３において左側端縁）と平行な軸１３Ａによって、本体ケーシング１１に対して上下方向（図３において左右方向）に回動自在に取り付けられている。
【００２９】
さらに、この開閉カバー１３は、図３に示されるように、本体ケーシング１１に対して閉位置にある状態で、表面が本体ケーシング１１の表面とほぼ面一になるように位置設定されており、また、ディスプレイパネル１２は、開閉カバー１３のほぼ厚さ分だけ本体ケーシング１１の内側に位置するように位置設定されている。
【００３０】
開閉カバー１３には、この開閉カバー１３が図１および３に示されるように本体ケーシング１１に対して閉位置にある状態で、軸１３Ａの位置からディスプレイパネル１２の側に延びるアーム部１３Ｂが一体的に成形されている。
【００３１】
そして、このアーム部１３Ｂの上端縁（図３において右側端縁）は、丁度、ディスプレイパネル１２の下端縁（図３において左側端縁）と同じ位置に位置されるようになっていて、携帯電話機１０を正面から見たとき、ディスプレイパネル１２とアーム部１３Ｂとの間に隙間が見えないようになっている。
【００３２】
このアーム部１３Ｂの先端部には、表面から背面側に向かって下方向（図３において左方向）に傾斜する傾斜面１３Ｂａが形成されている。
【００３３】
本体ケーシング１１の開閉カバー１３によってカバーされる部分には、操作盤１４が昇降自在に内装されており、さらに、この操作盤１４の背面側に昇降支持板１５が、互いの接合面に形成された図示しない嵌合溝が嵌合されることによって、操作盤１４に対して分離不能にかつ上下方向（図３において左右方向）にスライド自在に接合されている。
【００３４】
この操作盤１４の表面には、電話番号の入力キーや機能キーなどの第１操作ボタンＫ１が配置されており、開閉カバー１３の背面側に第２操作ボタンＫ２が配置されている。
【００３５】
そして、この昇降支持板１５の背面と本体ケーシング１１の内側に一体的に形成されたフレーム部１１Ａとの間に圧縮ばね１６が介装されていて、昇降支持板１５および操作盤１４を本体ケーシング１１の表面側の方向に付勢している。
【００３６】
昇降支持板１５の上端部には、表面から背面側に向かって下方向（図３において左方向）に傾斜する傾斜面１５ａが形成されている。
【００３７】
また、本体ケーシング１１のフレーム部１１Ａには、後述するように、上昇位置にある昇降支持板１５が本体ケーシング１１の下方向（図３において左方向）にスライドしてその下端部（図３において左端部）が嵌合される凹部１１Ａａが形成されている。
【００３８】
そして、この凹部１１Ａａ内に、進入してきた昇降支持板１５の端部によって圧縮されるばね１７が取り付けられており、さらに、この進入してきた昇降支持板１５に押圧されてオンすることにより、操作盤１４に配置された第１操作ボタンＫ１および開閉カバー１３に配置された第２操作ボタンＫ２に電源を導通させてその操作を可能にする図示しない開閉検出スイッチが取り付けられている。
【００３９】
なお、図１および２中、１８は、ディスプレイパネル１２の表示画面の切り替え等の操作を行う操作ダイヤルである。
【００４０】
上記携帯電話機１０は、受信の待機時などのように操作が行われないときには、図１に示されるように、開閉カバー１３が操作盤１４上をカバーするように閉じられて、図示しない係合部の係合によって本体ケーシング１１に係止されている。
【００４１】
そして、この携帯電話機１０によって通信を行うときや携帯電話機１０に搭載されている各種機能の利用を行うときには、開閉カバー１３が本体ケーシング１１に対して軸１３Ａを中心に上方側に回動されることによって開かれて、図２に示されるように操作盤１４が露出される。
【００４２】
この開閉カバー１３の開放操作の際の操作盤１４の動作は、以下の通りである。
【００４３】
すなわち、図３に示されるように、開閉カバー１３が閉じられている状態では、操作盤１４および昇降支持板１５が、圧縮ばね１６の付勢力に抗して本体ケーシング１１の内側方向に押し込められて収納されている。
【００４４】
そして、図４に示されるように、開閉カバー１３が開方向に回動されて、操作盤１４および昇降支持板１５を圧縮ばね１６の付勢力に抗して本体ケーシング１１の内側方向に押し込める押圧力が解除されると、操作盤１４および昇降支持板１５が圧縮ばね１６によって、本体ケーシング１１の外側方向（図４において上昇方向）に持ち上げられてゆく。
【００４５】
このとき、開閉カバー１３の軸１３Ａを中心とする上方（図４において右方向）への回動にともなって回動して本体ケーシング１１内に進入したアーム部１３Ｂが、下方向から操作盤１４および昇降支持板１５の上端部（図４において右端部）に当接される。
【００４６】
そして、この開閉カバー１３の回動にともなってアーム部１３Ｂが操作盤１４および昇降支持板１５の上端部を支持しながら持ち上げてゆくとともに、アーム部１３Ｂの傾斜面１３Ｂａと昇降支持板１５の傾斜面１５ａとの摺接によって、昇降支持板１５が本体ケーシング１１の下方向（図４において左方向）に付勢される。
【００４７】
これによって、昇降支持板１５が本体ケーシング１１の外側方向に持ち上げられてゆくにしたがい、昇降支持板１５が操作盤１４に対して摺動して本体ケーシング１１の下方向にスライドされてゆく。
【００４８】
このようにして、図５に示されるように、開閉カバー１３が完全に開かれると、開閉カバー１３は、ディスプレイパネル１２上においてその第２操作ボタンＫ２が配列された背面（操作面）が本体ケーシング１１の表面とほぼ面一になる位置に位置決めされる。
【００４９】
そして、このとき、昇降支持板１５の下端部（図５において左端部）が、本体ケーシング１１のフレーム部１１Ａに形成された凹部１１Ａａ内にばね１７を圧縮しながら嵌合され、これによって、昇降支持板１５およびこの昇降支持板１５に離間不能に接合されている操作盤１４が、それ以上に上昇しないように本体ケーシング１１に対して係止される。
【００５０】
このとき、操作盤１４は、その表側の第１操作ボタンＫ１が配列された操作面が本体ケーシング１１の表面とほぼ面一になる位置で位置決めされる。
【００５１】
以上のようにして、開閉カバー１３が開かれると、操作盤１４が上昇して第１操作ボタンＫ１が配列された操作面が、第２操作ボタンＫ２が配列されている開閉カバー１３の操作面（背面）とが、ほぼ同じ平面上に配列される。
【００５２】
そして、このとき、凹部１１Ａａ内に嵌合された昇降支持板１５の端部と接触することによって、この凹部１１Ａａ内に取り付けられた図示しない開閉検出スイッチがオンして電源が導通されることにより、第１操作ボタンＫ１および第２操作ボタンＫ２による操作が可能になる。
【００５３】
上記と反対に、開閉カバー１３が閉じられる際には、開閉カバー１３がディスプレイパネル１２上から引き起こされて本体ケーシング１１に対して下向きに回動されると、操作盤１４の下部を支持するとともに傾斜面１３Ｂａによって昇降支持板１５を凹部１１Ａａ内に押し込む方向に付勢していたアーム部１３Ｂが操作盤１４および昇降支持板１５から離間し、これによって、圧縮されていたばね１７が、昇降支持板１５の下端部を付勢して凹部１１Ａａ内から押し出す方向にスライドさせる。
【００５４】
これによって、昇降支持板１５と凹部１１Ａａとの係合状態が解除され、この後、下向きに回動されてきた開閉カバー１３が操作盤１４を圧縮ばね１６の付勢力に抗して本体ケーシング１１の内側方向に押圧することにより、操作盤１４および昇降支持板１５が本体ケーシング１１内に押し込められる。
【００５５】
そして、開閉カバー１３が本体ケーシング１１に対して、図示しない係合部によって係止されることにより、図１に示されるように、操作盤１４の操作面が外側から見えないように開閉カバー１３の内側に完全に収容される。
【００５６】
このとき、凹部１１Ａａ内に取り付けられた開閉検出スイッチと昇降支持板１５との係合状態が解除されることにより、第１操作ボタンＫ１および第２操作ボタンＫ２への電源がオフされて、その操作が不能になる。
【００５７】
なお、上記の例においては、操作盤１４の昇降を機械的な構成によって行っているが、例えば小型モータを本体ケーシング１１内に内蔵したりする等の方法によって、電気的に行うようにしても良い。
【図面の簡単な説明】
【図１】この発明の第１の例を開閉カバーが閉じられた状態で示す正面図である。
【図２】同例を開閉カバーが開かれた状態で示す正面図である。
【図３】同例において開閉カバーが閉じられている状態を示す側断面図である。
【図４】同例において開閉カバーが開かれている途中の状態を示す側断面図である。
【図５】同例において開閉カバーが開位置に位置決めされている状態を示す側断面図である。
【図６】従来例を示す斜視図である。
【符号の説明】
１０    …携帯電話機
１１    …本体ケーシング
１１Ａ  …フレーム部
１１Ａａ…凹部
１２    …ディスプレイパネル（表示パネル）
１３    …開閉カバー
１３Ａ  …軸
１３Ｂ  …アーム部（移動部材，アーム部材）
１３Ｂａ…傾斜面
１４    …操作盤
１５    …昇降支持板（可動部材）
１５ａ  …傾斜面
１６    …圧縮ばね（移動部材，付勢部材）
１７    …ばね（開閉解除部材）
Ｋ１    …第１操作ボタン（操作部）
Ｋ２    …第２操作ボタン（操作部）
【図１】
0003907388.tif 000002
【図２】
0003907388.tif 000003
【図３】
0003907388.tif 000004
【図４】
0003907388.tif 000005
【図５】
0003907388.tif 000006
【図６】
0003907388.tif 000007